(57)【要約】【課題】机の側方に什器を設置してワークエリアを拡げた際でも、机の後側における目隠し用パネルを交換したり、そのパネルの左右の取付位置を変更したりすることなく、机と什器の後方を容易に目隠ししうるようにする。    【解決手段】天板４の後方に、上下方向を向くパネル１３を設けてなるパネル付き机において、パネル１３の左右幅を、天板４の左右幅よりも大とし、このパネル１３を、机１に設けたブラケット１４と、パネル１３に設けたロッド２２により、左右方向に摺動可能に支持する。【選択図】  図１
2008113753.tif 000002
【特許請求の範囲】
【請求項１】
天板の後側に、上下方向を向くパネルを設けてなるパネル付き机において、前記パネルの左右幅を、天板の左右幅よりも大とし、このパネルを、前記机に設けた支持手段により、左右方向に摺動可能に支持したことを特徴とするパネル付き机。
【請求項２】
パネルの左右幅を、机の側方に隣接して設置される什器の左右幅とほぼ等しい寸法だけ、天板の左右幅よりも大としてなる請求項１記載のパネル付き机。
【請求項３】
支持手段を、机とパネルとの対向面のいずれか一方に設けられた左右方向を向くレール部材と、前記対向面の他方に設けられ、前記レール部材に左右方向に摺動可能に嵌合される摺動部を有する、少なくとも左右１対のブラケットとからなるものとした請求項１または２記載のパネル付き机。
【請求項４】
レール部材を、互いに平行をなす上下複数のロッドとするとともに、摺動部を、前記複数のロッドが挿通される複数の挿通孔としてなる請求項３記載のパネル付き机。
【請求項５】
パネルを、矩形枠状のフレームに、張り材を張設したものとし、前記フレームにおける左右の側部フレームの前面に、上下複数のロッドを取付けてなる請求項４記載のパネル付き机。
【請求項６】
ブラケットの前端面に、上下と左右方向に離間する係合爪を、側面視において、一方が上方を、他方が下方を向くようにして、前向きに突設し、前記両係合爪を、机の後端に取付けた横杆の後面に形成され、開口幅が奥部よりも狭幅をなす上下１対の係合溝に係合することにより、ブラケットを机の後端に取付けてなる請求項３〜５のいずれかに記載のパネル付き机。
【請求項７】
パネルの側端に、前後方向を向くサイドパネルの後端を、垂直軸回りに水平回動しうるように連結してなる請求項１〜６のいずれかに記載のパネル付き机。
【発明の詳細な説明】
【技術分野】
【０００１】
本発明は、机（テーブル等も含む）における天板の後側に、目隠し用等のパネルを設けてなるパネル付き机に関する。
【背景技術】
【０００２】
この種のパネル付き机としては、例えば特許文献１〜３に記載されているものがある。
【特許文献１】特開平１０ー２０１５５７号公報
【特許文献２】特開２０００ー４９５０号公報
【特許文献３】特開２００４ー１３５８３２号公報
【発明の開示】
【発明が解決しようとする課題】
【０００３】
上記特許文献１〜３に記載されているパネル付き机においては、天板の後側に、その左右寸法とほぼ同じ幅のパネルを、上下位置調節可能に、または固定的に、ブラケットを介して取り付けられているため、例えば机の左右いずれか一方もしくは両側方に、ワゴンやキャビネット、サイドテーブル等の什器を、追加的に並べて配置して、ワークエリアを拡げた際に、それらの後方の目隠しができず、体裁が悪くなるという問題がある。
【０００４】
この問題に対処するには、左右幅の大きなパネルと交換するか、もしくは、パネルを、ブラケットに、左右の取付位置を変更可能に取り付ければよいが、前者のようにすると、交換コストが増大するという問題があり、また後者のようにすると、取付位置の変更作業が面倒であるだけでなく、取付位置を側方にずらした分だけ、反対側の机の後方が空き、パネル本来の目隠し機能が果たせなくなるという問題が生じる。
【０００５】
本発明は、上記問題点に鑑みてなされたもので、机の側方に什器を設置してワークエリアを拡げた際でも、パネルを交換したり、その左右の取付位置を変更したりすることなく、机と什器の後方を容易に目隠ししうるようにしたパネル付き机を提供することを目的としている。
【課題を解決するための手段】
【０００６】
本発明によると、上記課題は、次のようにして解決される。
（１）天板の後側に、上下方向を向くパネルを設けてなるパネル付き机において、前記パネルの左右幅を、天板の左右幅よりも大とし、このパネルを、前記机に設けた支持手段により、左右方向に摺動可能に支持する。
【０００７】
（２）上記(１)項において、パネルの左右幅を、机の側方に隣接して設置される什器の左右幅とほぼ等しい寸法だけ、天板の左右幅よりも大とする。
【０００８】
（３）上記(１)または(２)項において、支持手段を、机とパネルとの対向面のいずれか一方に設けられた左右方向を向くレール部材と、前記対向面の他方に設けられ、前記レール部材に左右方向に摺動可能に嵌合される摺動部を有する、少なくとも左右１対のブラケットとからなるものとする。
【０００９】
（４）上記(３)項において、レール部材を、互いに平行をなす上下複数のロッドとするとともに、摺動部を、前記複数のロッドが挿通される複数の挿通孔とする。
【００１０】
（５）上記(４)項において、パネルを、矩形枠状のフレームに、張り材を張設したものとし、前記フレームにおける左右の側部フレームの前面に、上下複数のロッドを取付ける。
【００１１】
（６）上記(３)〜(５)項のいずれかにおいて、ブラケットの前端面に、上下と左右方向に離間する係合爪を、側面視において、一方が上方を、他方が下方を向くようにして、前向きに突設し、前記両係合爪を、机の後端に取付けた横杆の後面に形成され、開口幅が奥部よりも狭幅をなす上下１対の係合溝に係合することにより、ブラケットを机の後端に取付ける。
【００１２】
（７）上記(１)〜(６)項のいずれかにおいて、パネルの側端に、前後方向を向くサイドパネルの後端を、垂直軸回りに水平回動しうるように連結する。
【発明の効果】
【００１３】
請求項１記載の発明によれば、机の側方に、キャビネット等の什器を追加的に並べて設置し、ワークエリアを拡げた際でも、パネルを側方に摺動させるだけで、什器の後方を、容易に、かつ体裁よく目隠しすることができる。従って、その都度、左右幅の大きなパネルと交換する必要はなく、交換コストが低減される。
【００１４】
請求項２記載の発明によれば、パネルを側方に摺動させても、その反対側の机の後方が空いたりすることはなく、机全体の後方を常時目隠ししうるとともに、什器の後方をも、体裁よく目隠しすることができる。
【００１５】
請求項３記載の発明によれば、レール部材に、ブラケットの摺動部を摺動可能に嵌合させるだけで、パネルを、机の後端に、左右方向に摺動可能に簡単に取り付けることができる。
【００１６】
請求項４記載の発明によれば、上下複数のロッドを、挿通孔に挿通するだけの簡単な作業で、パネルを、机に、左右方向に摺動可能に支持することができる。
【００１７】
請求項５記載の発明によれば、パネルが軽量感を呈して体裁が向上するとともに、左右の側部フレームに取付けた左右方向を向く複数の支持杆が補強作用を発揮するので、パネル幅を大としても、その強度が低下することはない。
【００１８】
請求項６記載の発明によれば、ブラケットを、横杆に、ねじ等を用いることなく、簡単に取り付けうるとともに、不使用時の取外しも容易である。
また、ブラケットの横杆への左右方向の取付位置を、容易に調節することができる。
【００１９】
請求項７記載の発明によれば、机の側方も、体裁よく目隠しされ、かつサイドパネルを外側方に回動させて、机の側端と離間させれば、それらの間に什器を設置することができ、かつこの什器の側方も、目隠しすることができる。
【発明を実施するための最良の形態】
【００２０】
以下、本発明の実施形態を、図面に基づいて説明する。
図１は、本発明のパネル付き机の第１の実施形態を示す前方斜視図、図２は、同じく側面図、図３は、同じく平面図、図４は、パネル取付け前の分解前方斜視図である。
【００２１】
机１は、左右１対の脚体２、２と、主天板３と、補助天板４とを備えている。
左右の脚体２は、前後方向（以下、図２の左方を前として説明する）を向くベース脚２aと、その中央よりもやや後方寄りの上面より起立する脚柱２bとからなり、左右の脚柱２bの上端には、前後方向を向く天板支持杆５、５の中央部下面が固着されている。
【００２２】
左右の脚体２同士は、左右の天板支持杆５における前端部と後端部の対向面に固着された前部横杆６と後部横杆７とにより、互いに連結されている。
【００２３】
左右の天板支持杆５の前端部には、例えば平行リンク機構（図示略）等よりなる左右１対の天板支持体８、８が、上下に回動可能に枢着され、この両天板支持体８に、主天板３が、脚体２の前方に大きく突出させた状態で、ガススプリング等の高さ調節手段（図示略）により高さ調節可能に取付けられている。
補助天板４は、左右の天板支持杆５の中央部に取付けられた左右１対の支持杆９の上端により固定支持されている。
【００２４】
後部横杆７は、例えばアルミニウム合金等の押し出し成形品よりなり、その後面には、図６〜図９に示すように、左右方向を向く側面視後向コ字状断面の上下２条の係合溝１０、１０が、互いに平行をなして形成されている。両係合溝１０は、それぞれの開口縁に、下向きの係止片１１と上向きの係止片１２とを対向状に突設することにより、後端部の上下の開口幅を、奥部の上下寸法よりも狭幅としてある。
【００２５】
後部横杆７の後面には、パネル１３が、左右１対のブラケット１４、１４を介して、次のようにして取付けられている。
左右のブラケット１４は、図６〜図９に示すように（左右対称につき、後面視において右方のもののみを図示する）、垂直平板状の鉄板を、平面視Ｌ字状に折り曲げることにより、後部横杆７の後面と平行をなすとともに、その上下寸法とほぼ等しい上下寸法の方形をなす基片１４aと、この基片１４aの外側端より後方に向かって延びる支片１４bと、この支片１４bの後端に外向きに折曲形成されたパネル取付片１４cとを、一体的に形成したものである。
【００２６】
上記支片１４bの中央部には、長手方向を向く長孔１５が穿設され、ブラケット１４の軽量化が図られている。
パネル取付片１４cの上端部は、支片１４bの上縁よりも上方に突出しており、かつその上端部と下端部には、円形の取付孔１６、１６が穿設されている。
【００２７】
基片１４aにおける内側端寄りの上部と、外側端寄りの下部とには、基片１４aの上下両端部を前面側に切り起こすことにより、それぞれ上向係合片１７aを有する係合爪１７と、下向係合片１８aを有する係合爪１８とが、左右方向に離間させるとともに、上下に逆向きとして、一体的に形成されている。
【００２８】
両係合爪１７、１８の上下寸法と左右寸法は、図７に示すように、ブラケット１４を、前後方向を向く軸回りに、パネル取付片１４a側が上位となるように、水平状態から所要角度（例えば１５°前後）上向きに回動させたとき、非係合状態となって後部横杆７における上下の係合溝１０、１０の後面開口部より、その奥部内に嵌合しうる寸法とされている。
【００２９】
また、上向係合片１７aと下向係合片１８aの上下寸法は、図８及び図９に示すように、ブラケット１４を、図７の非係合状態から、前後方向を向く軸回りに矢印方向（時計回り）に下向きに回動させて、図８の係合状態としたとき、上向係合片１７aの上端と下向係合片１８aの下端とが、それぞれ後部横杆７における上下の係合溝１０、１０の奥部内において、それらの上面１０aと底面１０b とに同時に当接する寸法、すなわち、上下の係合溝１０の奥部の上下寸法と等しくしてあり、両係合片１７a、１８aの当接時に、ブラケット１４がほぼ水平状態に保持されるようになっている。
【００３０】
さらに、上向係合片１７aと下向係合片１８aの前方への突出寸法は、ブラケット１４の基片１４aの前面を後部横杆７の後面に当接させた状態で、上記のようにブラケット１４を水平位置まで回動したとき、上向係合片１７aと下向係合片１８aとの後面が、それぞれ、後部横杆７における上下の係合溝１０の開口縁に突設された下向きの係止片１１と上向きの係止片１２の裏面（前面）に当接するか、又は近接して係合する寸法とされている（図９参照）。
なお、上下の係合溝１０が、両側端が開口するものであれば、ブラケット１４の係合爪１７、１８を、後部横杆７の側端から挿入して両係合溝１０に係合することもできる。
【００３１】
前述したパネル１３は、図１〜図４に示すように、左右幅が机１における補助天板４の左右幅のほぼ1.5倍の長さを有するとともに、上下寸法が、机１の高さよりも十分に長い寸法の正面視横長方形をなすパイプ製の枠状フレーム１９に、例えば半透光性もしくは不透光性の伸縮自在なクロス又はシート等よりなる張り材２０を張設して形成されている。
【００３２】
パネル１３の枠状フレーム１９における左右の側部フレーム１９a 、１９a のやや下方寄りには、平面視内向きコ字状の取付金具２１、２１が固着され、この両取付金具２１の前面には、左右方向を向いて互いに平行をなす上下２本の円形のロッド２２、２２の両側端が、それらの両側端同士を連結している平面視倒立Ｌ字状をなす連結金具２３、２３の後面を、取付金具２１の前面に、ねじ２４により固定することにより、パネル１３の前面より若干前方に離間するようにして取付けられている(図６、図１２参照)。なお、上下のロッド２２は、枠状フレーム１９を補強する横フレームとしての機能も有する。
【００３３】
パネル１３を机１の後方に取付けるには、まず、左右１対のブラケット１４を、上述した要領で、後部横杆７の両側端部の上下の係合溝１０に取付ける。
ついで、図６及び図１２に示すように、上下方向に長い左右１対(同一構造に付き、一方のみ図示する）の支持部材２５の前面に形成された側面視前向Ｕ字状の支持溝２６、２６に、上下のロッド２２を左右方向に摺動可能に嵌合させ、この状態で、ブラケット１４のパネル取付片１４cの後面に支持部材２５の前面を当接させて、パネル取付片１４cの後方より挿入したねじ２７、２７を、支持部材２５の前面の上下両端部に設けためねじ孔(図示略）に螺合する。なお、上記支持溝２６の前端を、パネル取付片１４cにより塞ぐと、図４に示すように、上下のロッド２２が摺動可能に挿通される挿通孔２６aが形成される。
これにより、パネル１３は、図１及び図３に示すように、机１の後端に、若干離間するようにして、左右１対のブラケット１４を介して、左右方向に摺動可能に支持される。
【００３４】
以上説明したように、机１の後端に、その左右幅よりも十分大きい左右幅を有するパネル１３を、左右方向に摺動可能に取り付けることにより、例えば図５に示すように、机１の側方に、キャビネット２８やサイドテーブル２９等の什器を追加的に並べて設置し、ワークエリアを拡げた際でも、パネル１３を側方にスライドさせるだけで、机１自体の後方はもとより、キャビネット２８及びサイドテーブル２９の後方をも、容易に、かつ体裁よく目隠しすることができる。
従って、その都度、左右幅の大きなパネルと交換する必要はなく、交換コストが低減される。なお、机１の左右両側に左右寸法の小さな什器を設置する際には、パネル１３を、左右方向の中間位置にスライドさせればよい。
【００３５】
図１０は、本発明のパネル付き机の第２の実施形態を示す斜視図、図１１は、同じく平面図で、この実施形態では、上記と同形のパネル１３の側端に、サイドパネル３０の後端を、左右方向に水平回動しうるように取付けたものである。
【００３６】
サイドパネル３０のフレーム３１は、側面視下向きコ字状の側部フレーム３２と、その下端部に固定された前後方向を向く下部フレーム３３と、側部フレーム３２の中間部に固定された、外側方に円弧状に湾曲する中間フレーム３４とからなり、側部フレーム３２の前部側の縦フレーム３２aの下端には、アジャスタを兼ねる接床部材３５が取付けられている。
【００３７】
側部フレーム３２と下部フレーム３３には、クロス等の張り材３６が張設されている。中間フレーム３４は、張り材３６の中間部が外側方に三次元状に膨出するように、その内側面に接触させてある。
【００３８】
図１２は、パネル１３の側端と、サイドパネル３０の後端との連結部の分解斜視図で、側部フレーム３２における後部側の縦フレーム３２bと、中間フレーム３４との連結部に固着された平面視前向コ字状をなす連結金具３７の後端には、垂直軸(図示略)回りに回動するヒンジ金具３８が取付けられている。このヒンジ金具３８を、上述したパネル１３の側端の取付金具２１に、ロッド２２の連結金具２３と共に、ねじ３９、３９により固定することにより、サイドパネル３０は、パネル１３の側端に、左右方向に回動可能に取付けられている。
【００３９】
このように、パネル１３の側端に、サイドパネル３０の後端を、左右方向に回動可能に連結すると、机１の側方に、他の机を並べて設置する際等において、机１の側方も、サイドパネル３０により目隠しすることができる。また、図１０に示すように、外側方に回動させて、机１の側端と離間させれば、机１の側方に、例えば平面視三角形状のサイドテーブル４０なども設置することができる。なお、このようなサイドパネル３０を、パネル１３の両側端に連結してもよい。
【００４０】
本発明は、上記実施形態に限定されるものではない。
上記実施形態では、机１の後端にブラケット１４を、パネル１３の前面にロッド２２を、それぞれ設けているが、それらを逆にして設けることもできる。この際には、例えば机１側の後端に、上下のロッド２２を支持する適宜の支持部材を設けるとともに、パネル１３の前面に、上記と同様の横杆７を設け、この横杆に、ブラケット１４の後端を取り付ければよい。
【図面の簡単な説明】
【００４１】
【図１】本発明のパネル付き机の第１の実施形態を示す斜視図である。
【図２】同じく、側面図である。
【図３】同じく、平面図である。
【図４】同じく、パネル取付け前の斜視図である。
【図５】同じく、パネルを側方にスライドさせて、机の側方に什器を設置したときの斜視図である。
【図６】同じく、パネルの一側部の支持部を後方より見た拡大斜視図である。
【図７】後部横杆へのブラケットの取付け要領を示す後面図である。
【図８】同じく、ブラケット取付後の後面図である。
【図９】図８のIX-IX線縦断側面図である。
【図１０】本発明の第２の実施形態を示す斜視図である。
【図１１】同じく、平面図である。
【図１２】同じく、サイドパネルとパネルとの連結部の拡大斜視図である。
【符号の説明】
【００４２】
１    机
２    脚体
２a   ベース脚
２b   脚柱
３    主天板
４    補助天板
５    天板支持杆
６    前部横杆
７    後部横杆
８    天板支持体
９    支持杆
１０  係合溝
１０a 上面
１０b  底面
１１  係止片
１２  係止片
１３  パネル
１４  ブラケット
１４a 基片
１４b 支片
１４c パネル取付片
１５  長孔
１６  取付孔
１７  係合爪
１７a 上向係合片
１８  係合爪
１８a 下向係合片
１９  枠状フレーム
１９a 側部フレーム
２０  張り材
２１  取付金具
２２  ロッド
２３  連結金具
２４  ねじ
２５  支持部材
２６  支持溝
２６a 挿通孔
２７  ねじ
２８  キャビネット
２９  サイドテーブル
３０  サイドパネル
３１  フレーム
３２  側部フレーム
３２a 縦フレーム
３２b 縦フレーム
３３  下部フレーム
３４  中間フレーム
３５  接床部材
３６  張り材
３７  連結金具
３８  ヒンジ金具
３９  ねじ
４０  サイドテーブル
【図１】
2008113753.tif 000003
【図２】
2008113753.tif 000004
【図３】
2008113753.tif 000005
【図４】
2008113753.tif 000006
【図５】
2008113753.tif 000007
【図６】
2008113753.tif 000008
【図７】
2008113753.tif 000009
【図８】
2008113753.tif 000010
【図９】
2008113753.tif 000011
【図１０】
2008113753.tif 000012
【図１１】
2008113753.tif 000013
【図１２】
2008113753.tif 000014